(57)【要約】      （修正有）【課題】ゴルフ場においてプレー中の休憩時間中のむき出しにされたゴルフクラブの抜き取り盗難を、ゴルフバックの付属フードを一時的に装着することにより、防止する。【解決手段】ゴルフ場でのプレー中ゴルフカートにくくりつけたままのゴルフバックでむき出しになったゴルフクラブ（ヘッド部分）をプレー休憩中、本考案の巾着状の付属フードを一時的に装着することにより、ゴルフクラブの抜き取り盗難防止に役立つものである。付属フードの巾着状の紐でくくりつけてあるので一時的にしっかりと装着している。【選択図】図１
0003114519.tif 000002
【実用新案登録請求の範囲】
【請求項１】
ゴルフバックのフード部分と同様の大きさであって、袋状であって、ゴルフバック本体の先端部分（フードで覆われている部分）の開口部分を覆うことができ、その開口縁部を絞った状態にすることができるゴルフバックの付属フード。
【請求項２】
その開口縁部を絞った状態にすることを、紐で結んで開口縁部にすることが可能にした請求項１のゴルフバックの巾着袋状の付属フード。
【請求項３】
材質が柔軟性のある布製または合成繊維製である請求項１または２のゴルフバックの付属フード。
【請求項４】
付属フード本体の縁の一部にファスナーをもうけて開放可能とした請求項１または２のゴルフバックの付属フード。
【考案の詳細な説明】
【技術分野】
【０００１】本発明はゴルフバックと別個の付属フードに関するものである。より詳しくは、ゴルフバック本体（ゴルフクラブが収納されている部分）の先端部分（フードで覆われている部分）を袋体の開口部分で覆うことができるものであり、紐で結んで開口縁部を絞った状態にすることが可能な巾着袋状の付属フード（ゴルフバックの）に関するものである。
【背景技術】
【０００２】ゴルフバックは、ゴルフクラブが収納されている本体とその上部にクラブのヘッド部分を覆うフードで成り立っている。ゴルフバックの素材は輸送時の破損防止のため硬い皮製や布製でできており、当然フード部分も硬い材質になっている。そして、プレー開始時にゴルフバックごとカートに乗せて、フードを折り曲げてカートに結わえ付けて固定させてラウンドすることになっている。
しかも、ラウンド終了まではカートにしっかり固定された状態になっているのが通常である。【０００３】そのため、プレー中、ラウンド途中の休憩時にゴルフバックはゴルフクラブがむき出しの状態で約一時間くらい放置されている状態が生じているのが常である。そこで、放置状態で外に置かれた状態であると、しばしばむき出しのクラブを一本抜かれてしまう盗難（所謂、抜き取り盗難）が生じている。ゴルフ場は外であり、誰でもが出入り自由であるからである。
【考案が解決しようとする課題】
【０００４】本考案は、そのような抜き取り盗難の可能性のある状態を如何に防ぐことが可能となるかを課題とし、その解決に鋭意取り組んだものである。すなわち、盗難は、カートに装着されフードがない状態が小一時間放置されている状態で生じることに着目した。それを解決するために、本考案は、簡単に装着可能な付属フードをゴルフバック本体に装着し一時的にクラブヘッドが見えない状態にすることを課題とし、それが実現できる簡易装着可能なゴルフバックの付属フードを提供することを目的とするものである。
【課題を解決するための手段】
【０００５】本考案者は、上記目的を達成するために鋭意研究を重ねた結果、プレーに支障がなく、ラウンド途中のゴルフクラブの盗難防止のためにクラブヘッドにかぶせることが可能な柔軟な素材のいわゆる巾着袋状の付属フードが最適であることにより本考案を完成するに至った。
【０００６】すなわち、本考案のゴルフバック付属フードは布製又はナイロン等の合成繊維でできており、袋状態で形成されており、開口部は巾着状態に紐で取り付け時に結ぶことが可能となっているものである。紐で係止するため、該付属フードの開口部の縁に紐押通部に紐が押通されている。
【０００７】その紐の長さは該付属フードの開口部の周囲の長さより長めにしてあり、装着時に容易に結ぶことが可能となっていれば良い。場合により、結ぶ代わりに装着時に絞られた状態を維持するための留め具を有していても良い。
【０００８】該付属フードの材質は、布製が有効であるが、ナイロン製、合成繊維製でもよいが、とにかく柔軟性を有していることが必要である。大きさは、ゴルフバック本体にかぶせるので、ゴルフバック本体の太さよりやや大きめにすることが必要である。該付属フードは盗難防止の観点から内部が見えないような色彩が望ましいが、どのような色彩でもよい。該付属フードの外部にデザインを施してもよい。
【０００９】柔軟性を有しているので、使用しないときはたたんでゴルフバックのポケットに収納しておき、使用時に装着すればよい。また、プレー中、ラウンド途中の休憩時にゴルフクラブがむき出しの状態で放置されることがないので、ゴルフクラブへの日光の遮蔽ともなり、雨中では雨水の遮断ともなる。
【考案を実施するための最良の形態】
【００１０】以下、図面を参照しつつ本考案の好適な実施形態について詳細に説明する。
図１は、該付属フード全体を示している。１は、該付属フードの本体であり、布製、ナイロン等の合成繊維製であり、柔軟性を有する袋状の形態である。
大きさは、ゴルフバック本体の大きさに対応し変えることが出来るが、横幅２０ｃｍ〜５０ｃｍ位、縦幅２０ｃｍ〜５０ｃｍ位であり、好ましくは横幅３０ｃｍ〜４５ｃｍ位、縦幅３０ｃｍ〜４５ｃｍ位が好ましい。なお、付属フードの本体１の形状は正方形状又は長方形状であるが、その縁部分はまるみを帯びていてもよい。また、その縁の一部はファスナーをもうけ、開放可能としてもよい。【００１１】図１における２は紐であり、通常の巾着袋に使用される材質のものであればよく、例えば布製、合成樹脂製、合成繊維製でもよい。図１における３は、該付属フード本体の巾着部の紐の押通部である。【００１２】図１の２紐には、図で示したように、４止め具を有している。ゴルフバック本体にかぶせた場合に、該付属フードの巾着部を締め付けて装着し、しっかりと紐が緩まない状態を保持できるための止め具である。止め具でなくとも紐で巾着部を縛った状態で装着状態を維持することも可能であることはいうまでもない。しかし、前述のごとく、４止め具を有しているほうが装着や取り外しに便利であるといえる。４止め具は、例えば図で示すようなビーズ状の穴の開いた球形の閉め具であり、紐を絞った状態に固定できればよい。
【図面の簡単な説明】
【００１３】
【図１】本考案のゴルフバックの付属フードの実施例（装着前）を示す。
【図２】本考案のゴルフバックの付属フードの実施例（装着後）を示す。
【図３】ゴルフバック本体に該付属フードを装着した状態の正面図を示す。
【図４】ゴルフバック本体に該付属フードを装着した状態の側面図を示す。
【図５】ゴルフバック本体に該付属フードを装着した状態の背面図を示す。
【符号の説明】
【００１４】１．  付属フード本体部分
２．  巾着部の紐
３．  巾着部の紐の押通部
４．  巾着部の止め具
【図１】
0003114519.tif 000003
【図２】
0003114519.tif 000004
【図３】
0003114519.tif 000005
【図４】
0003114519.tif 000006
【図５】
0003114519.tif 000007
【手続補正書】
【提出日】平成17年6月23日(2005.6.23)
【手続補正１】
【補正対象書類名】実用新案登録請求の範囲
【補正対象項目名】請求項１
【補正方法】変更
【補正の内容】
【請求項１】
ゴルフバックのフード部分と同様の大きさであって、袋状であって、ゴルフバック本体のフードで覆われている部分の開口部分を覆うことができ、その開口縁部を絞った状態にすることができるゴルフバックの付属フード。